(57)【要約】アナログ無線送信機によって生成された無線通信信号の振幅および位相特性を、基地局（ＢＳ）によって受信された送信電力制御（ＴＰＣ）信号、および、送信機に含まれた電力増幅器（ＰＡ）の既知の特性に基づいて、調整するための方法およびシステム。デジタル事前歪み補償モジュールは実および仮想信号パスを有し、無線通信信号を生成するために使用された実および仮想信号成分を受信および処理する。無線通信信号の位相および振幅特性は、ＴＰＣ信号に応答して、ＰＡの低下した振幅および位相特性が補正されるように、制御される。
2006527534.tif 000002
【特許請求の範囲】
【請求項１】
少なくとも１つの無線通信信号を基地局（ＢＳ）に送信するためのデジタルベースバンド（ＤＢＢ）送信機であって、前記ＢＳは、前記無線通信信号の受信に応答して、送信電力制御（ＴＰＣ）信号を生成するように構成され、
（ａ）前記無線通信信号の生成に使用された各実および仮想信号成分を受信および処理するように構成される、実および仮想信号パスを有するデジタル事前歪み補償モジュールと、
（ｂ）電力増幅器（ＰＡ）を含むアナログ無線送信機であって、前記アナログ無線送信機は、前記処理された実および仮想信号成分を受信し、応答して、前記ＰＡに入力される通信信号を生成するように構成され、前記ＰＡは、前記生成された通信信号を増幅するように構成され、前記増幅された通信信号は前記ＤＢＢ送信機から前記無線通信信号として出される、アナログ無線送信機と、
（ｃ）前記デジタル事前歪み補償モジュールおよび前記ＰＡと通信するコントローラであって、前記無線通信信号の特性を、前記ＢＳによって生成された前記ＴＰＣ信号に基づいて制御するように構成されるコントローラとを備えることを特徴とするＤＢＢ送信機。
【請求項２】
（ｄ）実および仮想信号パスを有し、前記実および仮想信号成分を生成し、前記ＴＰＣ信号を受信し、前記ＴＰＣ信号を前記コントローラに渡すように構成されるモデムをさらに備えることを特徴とする請求項１に記載のＤＢＢ送信機。
【請求項３】
（ｅ）前記モデムの前記実信号パスを前記デジタル事前歪み補償モジュールの前記実信号パスに結合する第１のローパスフィルタ（ＬＰＦ）と、
（ｆ）前記モデムの前記仮想信号パスを前記デジタル事前歪み補償モジュールの前記仮想信号パスに結合する第２のＬＰＦとをさらに備えることを特徴とする請求項２に記載のＤＢＢ送信機。
【請求項４】
前記コントローラは、前記ＴＰＣ信号を前記モデムから受信するＴＰＣマッピングユニットを含み、前記ＴＰＣマッピングユニットは、第１のマップされたＴＰＣ信号を前記デジタル事前歪み補償モジュールに、および、第２のマップされたＴＰＣ信号を前記ＰＡに出力するように構成されることを特徴とする請求項３に記載のＤＢＢ送信機。
【請求項５】
前記デジタル事前歪み補償モジュールは、
（ｉ）前記実および仮想信号パスの各々に結合された電力推定ユニットであって、電力推定信号を前記実および仮想信号成分の大きさに基づいて生成するように構成される電力推定ユニットと、
（ｉｉ）前記電力推定信号を前記第１のマップされたＴＰＣ信号により乗算して、第１の結果の積信号を生成するように構成される第１の乗算器と、
（ｉｉｉ）前記第１の結果の積信号の受信に応答して、振幅補償信号を生成するように構成される、少なくとも１つのルックアップテーブル（ＬＵＴ）と、
（ｉｖ）前記第１の結果の積信号の受信に応答して、位相補償信号を生成するように構成される位相歪み補償ユニットとを備えることを特徴とする請求項４に記載のＤＢＢ送信機。
【請求項６】
前記デジタル事前歪み補償モジュールは、
（ｖ）前記振幅補償信号を前記実信号成分により乗算して、第２の結果の積信号を生成するように構成される第２の乗算器と、
（ｖｉ）前記第２の結果の積信号を前記実信号成分に加算して、振幅補償された実信号成分を生成するように構成される第１の加算器と、
（ｖｉｉ）前記振幅補償信号を前記仮想信号成分により乗算して、第３の結果の積信号を生成するように構成される第３の乗算器と、
（ｖｉｉｉ）前記第３の結果の積信号を前記仮想信号成分に加算して、振幅補償された仮想信号成分を生成するように構成される第２の加算器とをさらに備えることを特徴とする請求項５に記載のＤＢＢ送信機。
【請求項７】
前記デジタル事前歪み補償モジュールは、
（ｉｘ）前記位相補償信号を前記振幅補償された実信号成分により乗算して、第４の結果の積信号を生成するように構成される第４の乗算器と、
（ｘ）前記第４の結果の積信号を前記振幅補償された仮想信号成分に加算するように構成される第３の加算器と、
（ｘｉ）前記位相補償信号を前記振幅補償された仮想信号成分により乗算して、第５の結果の積信号を生成するように構成される第５の乗算器と、
（ｘｉｉ）前記第５の結果の積信号を前記振幅補償された実信号成分から減算するように構成される第４の加算器とをさらに備えることを特徴とする請求項６に記載のＤＢＢ送信機。
【請求項８】
前記振幅補償信号は前記デジタル事前歪み補償モジュールによって使用され、前記ＰＡに関連付けられた少なくとも１つの低下した振幅特性を補正することを特徴とする請求項５に記載のＤＢＢ送信機。
【請求項９】
前記位相補償信号は前記デジタル事前歪み補償モジュールによって使用され、前記ＰＡに関連付けられた少なくとも１つの低下した位相特性を補正することを特徴とする請求項５に記載のＤＢＢ送信機。
【請求項１０】
前記第２のマップされたＴＰＣ信号は、前記ＰＡが非線形の態様で動作しないように、前記ＰＡのゲインの調整に使用されることを特徴とする請求項４に記載のＤＢＢ送信機。
【請求項１１】
少なくとも１つの無線通信信号を基地局（ＢＳ）に送信するための無線送受信ユニット（ＷＴＲＵ）であって、前記ＢＳは、前記無線通信信号の受信に応答して、送信電力制御（ＴＰＣ）信号を生成するように構成され、
（ａ）前記無線通信信号の生成に使用された各実および仮想信号成分を受信および処理するように構成される、実および仮想信号パスを有するデジタル事前歪み補償モジュールと、
（ｂ）電力増幅器（ＰＡ）を含むアナログ無線送信機であって、前記アナログ無線送信機は、前記処理された実および仮想信号成分を受信し、応答して、前記ＰＡに入力される通信信号を生成するように構成され、前記ＰＡは、前記生成された通信信号を増幅するように構成され、前記増幅された通信信号は前記ＷＴＲＵから前記無線通信信号として出される、アナログ無線送信機と、
（ｃ）前記デジタル事前歪み補償モジュールおよび前記ＰＡと通信するコントローラであって、前記無線通信信号の特性を、前記ＢＳによって生成された前記ＴＰＣ信号に基づいて制御するように構成されるコントローラとを備えることを特徴とするＷＴＲＵ。
【請求項１２】
（ｄ）実および仮想信号パスを有し、前記実および仮想信号成分を生成し、前記ＴＰＣ信号を受信し、前記ＴＰＣ信号を前記コントローラに渡すように構成されるモデムをさらに備えることを特徴とする請求項１１に記載のＷＴＲＵ。
【請求項１３】
（ｅ）前記モデムの前記実信号パスを前記デジタル事前歪み補償モジュールの前記実信号パスに結合する第１のローパスフィルタ（ＬＰＦ）と、
（ｆ）前記モデムの前記仮想信号パスを前記デジタル事前歪み補償モジュールの前記仮想信号パスに結合する第２のＬＰＦとをさらに備えることを特徴とする請求項１２に記載のＷＴＲＵ。
【請求項１４】
前記コントローラは、前記ＴＰＣ信号を前記モデムから受信するＴＰＣマッピングユニットを含み、前記ＴＰＣマッピングユニットは、第１のマップされたＴＰＣ信号を前記デジタル事前歪み補償モジュールに、および、第２のマップされたＴＰＣ信号を前記ＰＡに出力するように構成されることを特徴とする請求項１３に記載のＷＴＲＵ。
【請求項１５】
前記デジタル事前歪み補償モジュールは、
（ｉ）前記実および仮想信号パスの各々に結合された電力推定ユニットであって、電力推定信号を前記実および仮想信号成分の大きさに基づいて生成するように構成される電力推定ユニットと、
（ｉｉ）前記電力推定信号を前記第１のマップされたＴＰＣ信号により乗算して、第１の結果の積信号を生成するように構成される第１の乗算器と、
（ｉｉｉ）前記第１の結果の積信号の受信に応答して、振幅補償信号を生成するように構成される、少なくとも１つのルックアップテーブル（ＬＵＴ）と、
（ｉｖ）前記第１の結果の積信号の受信に応答して、位相補償信号を生成するように構成される位相歪み補償ユニットとを備えることを特徴とする請求項１４に記載のＷＴＲＵ。
【請求項１６】
前記デジタル事前歪み補償モジュールは、
（ｖ）前記振幅補償信号を前記実信号成分により乗算して、第２の結果の積信号を生成するように構成される第２の乗算器と、
（ｖｉ）前記第２の結果の積信号を前記実信号成分に加算して、振幅補償された実信号成分を生成するように構成される第１の加算器と、
（ｖｉｉ）前記振幅補償信号を前記仮想信号成分により乗算して、第３の結果の積信号を生成するように構成される第３の乗算器と、
（ｖｉｉｉ）前記第３の結果の積信号を前記仮想信号成分に加算して、振幅補償された仮想信号成分を生成するように構成される第２の加算器とをさらに備えることを特徴とする請求項１５に記載のＷＴＲＵ。
【請求項１７】
前記デジタル事前歪み補償モジュールは、
（ｉｘ）前記位相補償信号を前記振幅補償された実信号成分により乗算して、第４の結果の積信号を生成するように構成される第４の乗算器と、
（ｘ）前記第４の結果の積信号を前記振幅補償された仮想信号成分に加算するように構成される第３の加算器と、
（ｘｉ）前記位相補償信号を前記振幅補償された仮想信号成分により乗算して、第５の結果の積信号を生成するように構成される第５の乗算器と、
（ｘｉｉ）前記第５の結果の積信号を前記振幅補償された実信号成分から減算するように構成される第４の加算器とをさらに備えることを特徴とする請求項１６に記載のＷＴＲＵ。
【請求項１８】
前記振幅補償信号は、前記ＰＡに関連付けられた少なくとも１つの低下した振幅特性の補正に使用されることを特徴とする請求項１５に記載のＷＴＲＵ。
【請求項１９】
前記位相補償信号は、前記ＰＡに関連付けられた少なくとも１つの低下した位相特性の補正に使用されることを特徴とする請求項１５に記載のＷＴＲＵ。
【請求項２０】
前記第２のマップされたＴＰＣ信号は、前記ＰＡが非線形の態様で動作しないように、前記ＰＡのゲインの調整に使用されることを特徴とする請求項１４に記載のＷＴＲＵ。
【請求項２１】
少なくとも１つの無線通信信号を基地局（ＢＳ）に送信するための集積回路（ＩＣ）であって、前記ＢＳは、前記無線通信信号の受信に応答して、送信電力制御（ＴＰＣ）信号を生成するように構成され、
（ａ）前記無線通信信号の生成に使用された各実および仮想信号成分を受信および処理するように構成される、実および仮想信号パスを有するデジタル事前歪み補償モジュールと、
（ｂ）電力増幅器（ＰＡ）を含むアナログ無線送信機であって、前記アナログ無線送信機は、前記処理された実および仮想信号成分を受信し、応答して、前記ＰＡに入力される通信信号を生成するように構成され、前記ＰＡは、前記生成された通信信号を増幅するように構成され、前記増幅された通信信号は前記ＩＣから前記無線通信信号として出される、アナログ無線送信機と、
（ｃ）前記デジタル事前歪み補償モジュールおよび前記ＰＡと通信するコントローラであって、前記無線通信信号の特性を、前記ＢＳによって生成された前記ＴＰＣ信号に基づいて制御するように構成されるコントローラとを備えることを特徴とするＩＣ。
【請求項２２】
（ｄ）実および仮想信号パスを有し、前記実および仮想信号成分を生成し、前記ＴＰＣ信号を受信し、前記ＴＰＣ信号を前記コントローラに渡すように構成されるモデムをさらに備えることを特徴とする請求項２１に記載のＩＣ。
【請求項２３】
（ｅ）前記モデムの前記実信号パスを前記デジタル事前歪み補償モジュールの前記実信号パスに結合する第１のローパスフィルタ（ＬＰＦ）と、
（ｆ）前記モデムの前記仮想信号パスを前記デジタル事前歪み補償モジュールの前記仮想信号パスに結合する第２のＬＰＦとをさらに備えることを特徴とする請求項２２に記載のＩＣ。
【請求項２４】
前記コントローラは、前記ＴＰＣ信号を前記モデムから受信するＴＰＣマッピングユニットを含み、前記ＴＰＣマッピングユニットは、第１のマップされたＴＰＣ信号を前記デジタル事前歪み補償モジュールに出力し、第２のマップされたＴＰＣ信号を前記ＰＡに出力するように構成されることを特徴とする請求項２３に記載のＩＣ。
【請求項２５】
前記デジタル事前歪み補償モジュールは、
（ｉ）前記実および仮想信号パスの各々に結合された電力推定ユニットであって、電力推定信号を前記実および仮想信号成分の大きさに基づいて生成するように構成される電力推定ユニットと、
（ｉｉ）前記電力推定信号を前記第１のマップされたＴＰＣ信号により乗算して、第１の結果の積信号を生成するように構成される第１の乗算器と、
（ｉｉｉ）前記第１の結果の積信号の受信に応答して、振幅補償信号を生成するように構成される、少なくとも１つのルックアップテーブル（ＬＵＴ）と、
（ｉｖ）前記第１の結果の積信号の受信に応答して、位相補償信号を生成するように構成される位相歪み補償ユニットとを備えることを特徴とする請求項２４に記載のＩＣ。
【請求項２６】
前記デジタル事前歪み補償モジュールは、
（ｖ）前記振幅補償信号を前記実信号成分により乗算して、第２の結果の積信号を生成するように構成される第２の乗算器と、
（ｖｉ）前記第２の結果の積信号を前記実信号成分に加算して、振幅補償された実信号成分を生成するように構成される第１の加算器と、
（ｖｉｉ）前記振幅補償信号を前記仮想信号成分により乗算して、第３の結果の積信号を生成するように構成される第３の乗算器と、
（ｖｉｉｉ）前記第３の結果の積信号を前記仮想信号成分に加算して、振幅補償された仮想信号成分を生成するように構成される第２の加算器とをさらに備えることを特徴とする請求項２５に記載のＩＣ。
【請求項２７】
前記デジタル事前歪み補償モジュールは、
（ｉｘ）前記位相補償信号を前記振幅補償された実信号成分により乗算して、第４の結果の積信号を生成するように構成される第４の乗算器と、
（ｘ）前記第４の結果の積信号を前記振幅補償された仮想信号成分に加算するように構成される第３の加算器と、
（ｘｉ）前記位相補償信号を前記振幅補償された仮想信号成分により乗算して、第５の結果の積信号を生成するように構成される第５の乗算器と、
（ｘｉｉ）前記第５の結果の積信号を前記振幅補償された実信号成分から減算するように構成される第４の加算器とをさらに備えることを特徴とする請求項２６に記載のＩＣ。
【請求項２８】
前記振幅補償信号は、前記ＰＡに関連付けられた少なくとも１つの低下した振幅特性の補正に使用されることを特徴とする請求項２５に記載のＩＣ。
【請求項２９】
前記位相補償信号は、前記ＰＡに関連付けられた少なくとも１つの低下した位相特性の補正に使用されることを特徴とする請求項２５に記載のＩＣ。
【請求項３０】
前記第２のマップされたＴＰＣ信号は、前記ＰＡが非線形の態様で動作しないように、前記ＰＡのゲインの調整に使用されることを特徴とする請求項２４に記載のＩＣ。
【請求項３１】
実および仮想信号成分から生成された少なくとも１つの無線通信信号を送信するための無線通信システムにおいて、
（ａ）前記実および仮想信号成分を受信および処理するように構成される、実および仮想信号パスと、
（ｂ）前記実および仮想信号パスの各々に結合された電力推定ユニットであって、電力推定信号を前記実および仮想信号成分の大きさに基づいて生成するように構成される電力推定ユニットと、
（ｃ）前記電力推定信号を送信電力制御（ＴＰＣ）信号により乗算して、第１の結果の積信号を生成するように構成される第１の乗算器であって、前記ＴＰＣ信号は前記無線通信信号の電力に関連付けられる、第１の乗算器と、
（ｄ）前記第１の結果の積信号の受信に応答して、振幅補償信号を生成するように構成される、少なくとも１つのルックアップテーブル（ＬＵＴ）と、
（ｅ）前記第１の結果の積信号の受信に応答して、位相補償信号を生成するように構成される位相歪み補償ユニットとを備えることを特徴とするデジタル事前歪み補償モジュール。
【請求項３２】
（ｆ）前記振幅補償信号を前記実信号成分により乗算して、第２の結果の積信号を生成するように構成される第２の乗算器と、
（ｇ）前記第２の結果の積信号を前記実信号成分に加算して、振幅補償された実信号成分を生成するように構成される第１の加算器と、
（ｈ）前記振幅補償信号を前記仮想信号成分により乗算して、第３の結果の積信号を生成するように構成される第３の乗算器と、
（ｉ）前記第３の結果の積信号を前記仮想信号成分に加算して、振幅補償された仮想信号成分を生成するように構成される第２の加算器とをさらに備えることを特徴とする請求項３１に記載のデジタル事前歪み補償モジュール。
【請求項３３】
（ｊ）前記位相補償信号を前記振幅補償された実信号成分により乗算して、第４の結果の積信号を生成するように構成される第４の乗算器と、
（ｋ）前記第４の結果の積信号を前記振幅補償された仮想信号成分に加算するように構成される第３の加算器と、
（ｌ）前記位相補償信号を前記振幅補償された仮想信号成分により乗算して、第５の結果の積信号を生成するように構成される第５の乗算器と、
（ｍ）前記第５の結果の積信号を前記振幅補償された実信号成分から減算するように構成される第４の加算器とをさらに備えることを特徴とする請求項３２に記載のデジタル事前歪み補償モジュール。
【請求項３４】
実および仮想信号成分から生成された少なくとも１つの無線通信信号を送信するための無線通信システムにおいて、
（ａ）前記実および仮想信号成分を受信および処理するように構成される、実および仮想信号パスと、
（ｂ）前記実および仮想信号パスの各々に結合された電力推定ユニットであって、電力推定信号を前記実および仮想信号成分の大きさに基づいて生成するように構成される電力推定ユニットと、
（ｃ）前記電力推定信号を送信電力制御（ＴＰＣ）信号により乗算して、第１の結果の積信号を生成するように構成される第１の乗算器であって、前記ＴＰＣ信号は前記無線通信信号の電力に関連付けられる、第１の乗算器と、
（ｄ）前記第１の結果の積信号の受信に応答して、振幅補償信号を生成するように構成される、少なくとも１つのルックアップテーブル（ＬＵＴ）と、
（ｅ）前記第１の結果の積信号の受信に応答して、位相補償信号を生成するように構成される位相歪み補償ユニットとを備えることを特徴とするデジタルベースバンド（ＤＢＢ）送信機。
【請求項３５】
（ｆ）前記振幅補償信号を前記実信号成分により乗算して、第２の結果の積信号を生成するように構成される第２の乗算器と、
（ｇ）前記第２の結果の積信号を前記実信号成分に加算して、振幅補償された実信号成分を生成するように構成される第１の加算器と、
（ｈ）前記振幅補償信号を前記仮想信号成分により乗算して、第３の結果の積信号を生成するように構成される第３の乗算器と、
（ｉ）前記第３の結果の積信号を前記仮想信号成分に加算して、振幅補償された仮想信号成分を生成するように構成される第２の加算器とをさらに備えることを特徴とする請求項３４に記載のＤＢＢ送信機。
【請求項３６】
（ｊ）前記位相補償信号を前記振幅補償された実信号成分により乗算して、第４の結果の積信号を生成するように構成される第４の乗算器と、
（ｋ）前記第４の結果の積信号を前記振幅補償された仮想信号成分に加算するように構成される第３の加算器と、
（ｌ）前記位相補償信号を前記振幅補償された仮想信号成分により乗算して、第５の結果の積信号を生成するように構成される第５の乗算器と、
（ｍ）前記第５の結果の積信号を前記振幅補償された実信号成分から減算するように構成される第４の加算器とをさらに備えることを特徴とする請求項３５に記載のＤＢＢ送信機。
【請求項３７】
実および仮想信号成分から生成された少なくとも１つの無線通信信号を送信するための無線通信システムにおいて、
（ａ）前記実および仮想信号成分を受信および処理するように構成される、実および仮想信号パスと、
（ｂ）前記実および仮想信号パスの各々に結合された電力推定ユニットであって、電力推定信号を前記実および仮想信号成分の大きさに基づいて生成するように構成される電力推定ユニットと、
（ｃ）前記電力推定信号を送信電力制御（ＴＰＣ）信号により乗算して、第１の結果の積信号を生成するように構成される第１の乗算器であって、前記ＴＰＣ信号は前記無線通信信号の電力に関連付けられる、第１の乗算器と、
（ｄ）前記第１の結果の積信号の受信に応答して、振幅補償信号を生成するように構成される、少なくとも１つのルックアップテーブル（ＬＵＴ）と、
（ｅ）前記第１の結果の積信号の受信に応答して、位相補償信号を生成するように構成される位相歪み補償ユニットとを備えることを特徴とする無線送受信ユニット（ＷＴＲＵ）。
【請求項３８】
（ｆ）前記振幅補償信号を前記実信号成分により乗算して、第２の結果の積信号を生成するように構成される第２の乗算器と、
（ｇ）前記第２の結果の積信号を前記実信号成分に加算して、振幅補償された実信号成分を生成するように構成される第１の加算器と、
（ｈ）前記振幅補償信号を前記仮想信号成分により乗算して、第３の結果の積信号を生成するように構成される第３の乗算器と、
（ｉ）前記第３の結果の積信号を前記仮想信号成分に加算して、振幅補償された仮想信号成分を生成するように構成される第２の加算器とをさらに備えることを特徴とする請求項３７に記載のＷＴＲＵ。
【請求項３９】
（ｊ）前記位相補償信号を前記振幅補償された実信号成分により乗算して、第４の結果の積信号を生成するように構成される第４の乗算器と、
（ｋ）前記第４の結果の積信号を前記振幅補償された仮想信号成分に加算するように構成される第３の加算器と、
（ｌ）前記位相補償信号を前記振幅補償された仮想信号成分により乗算して、第５の結果の積信号を生成するように構成される第５の乗算器と、
（ｍ）前記第５の結果の積信号を前記振幅補償された実信号成分から減算するように構成される第４の加算器とをさらに備えることを特徴とする請求項３８に記載のＷＴＲＵ。
【請求項４０】
実および仮想信号成分から生成された少なくとも１つの無線通信信号を送信するための無線通信システムにおいて、
（ａ）前記実および仮想信号成分を受信および処理するように構成される、実および仮想信号パスと、
（ｂ）前記実および仮想信号パスの各々に結合された電力推定ユニットであって、電力推定信号を前記実および仮想信号成分の大きさに基づいて生成するように構成される電力推定ユニットと、
（ｃ）前記電力推定信号を送信電力制御（ＴＰＣ）信号により乗算して、第１の結果の積信号を生成するように構成される第１の乗算器であって、前記ＴＰＣ信号は前記無線通信信号の電力に関連付けられる、第１の乗算器と、
（ｄ）前記第１の結果の積信号の受信に応答して、振幅補償信号を生成するように構成される、少なくとも１つのルックアップテーブル（ＬＵＴ）と、
（ｅ）前記第１の結果の積信号の受信に応答して、位相補償信号を生成するように構成される位相歪み補償ユニットとを備えることを特徴とする集積回路（ＩＣ）。
【請求項４１】
（ｆ）前記振幅補償信号を前記実信号成分により乗算して、第２の結果の積信号を生成するように構成される第２の乗算器と、
（ｇ）前記第２の結果の積信号を前記実信号成分に加算して、振幅補償された実信号成分を生成するように構成される第１の加算器と、
（ｈ）前記振幅補償信号を前記仮想信号成分により乗算して、第３の結果の積信号を生成するように構成される第３の乗算器と、
（ｉ）前記第３の結果の積信号を前記仮想信号成分に加算して、振幅補償された仮想信号成分を生成するように構成される第２の加算器とをさらに備えることを特徴とする請求項４０に記載のＩＣ。
【請求項４２】
（ｊ）前記位相補償信号を前記振幅補償された実信号成分により乗算して、第４の結果の積信号を生成するように構成される第４の乗算器と、
（ｋ）前記第４の結果の積信号を前記振幅補償された仮想信号成分に加算するように構成される第３の加算器と、
（ｌ）前記位相補償信号を前記振幅補償された仮想信号成分により乗算して、第５の結果の積信号を生成するように構成される第５の乗算器と、
（ｍ）前記第５の結果の積信号を前記振幅補償された実信号成分から減算するように構成される第４の加算器とをさらに備えることを特徴とする請求項４１に記載のＩＣ。
【請求項４３】
実および仮想信号成分から生成された少なくとも１つの無線通信信号を送信するための無線通信システムにおいて、前記無線通信信号の少なくとも１つの特性を調整する方法であって、
（ａ）電力推定信号を前記実および仮想信号成分の大きさに基づいて生成するステップと、
（ｂ）前記電力推定信号を送信電力制御（ＴＰＣ）信号により乗算して、第１の結果の積信号を生成するステップであって、前記ＴＰＣ信号は前記無線通信信号の電力に関連付けられるステップと、
（ｃ）前記第１の結果の積信号の受信に応答して、振幅補償信号を生成するステップと、
（ｄ）前記振幅補償信号を前記実信号成分により乗算して、第２の結果の積信号を生成するステップと、
（ｅ）前記第２の結果の積信号を前記実信号成分に加算して、振幅補償された実信号成分を生成するステップと、
（ｆ）前記振幅補償信号を前記仮想信号成分により乗算して、第３の結果の積信号を生成するステップと、
（ｇ）前記第３の結果の積信号を前記仮想信号成分に加算して、振幅補償された仮想信号成分を生成するステップとを備えることを特徴とする方法。
【請求項４４】
（ｈ）前記第１の結果の積信号の受信に応答して、位相補償信号を生成するステップと、
（ｉ）前記位相補償信号を前記振幅補償された実信号成分により乗算して、第４の結果の積信号を生成するステップと、
（ｊ）前記第４の結果の積信号を前記振幅補償された仮想信号成分に加算するステップと、
（ｋ）前記位相補償信号を前記振幅補償された仮想信号成分により乗算して、第５の結果の積信号を生成するステップと、
（ｌ）前記第５の結果の積信号を前記振幅補償された実信号成分から減算するステップとをさらに備えることを特徴とする請求項４３に記載の方法。
【請求項４５】
実および仮想信号成分から生成された無線通信信号の少なくとも１つの特性を送信および調整するための無線通信システムであって、
（ａ）電力推定信号を前記実および仮想信号成分の大きさに基づいて生成する手段と、
（ｂ）前記電力推定信号を送信電力制御（ＴＰＣ）信号により乗算して、第１の結果の積信号を生成する手段であって、前記ＴＰＣ信号は前記無線通信信号の電力に関連付けられる手段と、
（ｃ）前記第１の結果の積信号の受信に応答して、振幅補償信号を生成する手段と、
（ｄ）前記振幅補償信号を前記実信号成分により乗算して、第２の結果の積信号を生成する手段と、
（ｅ）前記第２の結果の積信号を前記実信号成分に加算して、振幅補償された実信号成分を生成する手段と、
（ｆ）前記振幅補償信号を前記仮想信号成分により乗算して、第３の結果の積信号を生成する手段と、
（ｇ）前記第３の結果の積信号を前記仮想信号成分に加算して、振幅補償された仮想信号成分を生成する手段とを備えることを特徴とするシステム。
【請求項４６】
（ｈ）前記第１の結果の積信号の受信に応答して、位相補償信号を生成する手段と、
（ｉ）前記位相補償信号を前記振幅補償された実信号成分により乗算して、第４の結果の積信号を生成する手段と、
（ｊ）前記第４の結果の積信号を前記振幅補償された仮想信号成分に加算する手段と、
（ｋ）前記位相補償信号を前記振幅補償された仮想信号成分により乗算して、第５の結果の積信号を生成する手段と、
（ｌ）前記第５の結果の積信号を前記振幅補償された実信号成分から減算する手段とをさらに備えることを特徴とする請求項４５に記載のシステム。
【請求項４７】
実および仮想信号成分から生成された無線通信信号を基地局（ＢＳ）に送信するための無線送受信ユニット（ＷＴＲＵ）を含む無線通信システムにおいて、前記ＷＴＲＵは、実および仮想信号成分を受信および処理するためのデジタル事前歪み補償モジュール、および、電力増幅器（ＰＡ）を含み、
（ａ）前記ＢＳが無線通信信号を前記ＷＴＲＵから受信するステップと、
（ｂ）前記ＷＴＲＵが、ステップ（ａ）に応答して、前記基地局によって生成された送信電力制御（ＴＰＣ）信号を受信するステップと、
（ｃ）前記ＷＴＲＵが、ステップ（ｂ）に応答して、第１のマップされたＴＰＣ信号および第２のマップされたＴＰＣ信号を生成するステップと、
（ｄ）前記事前歪み補償モジュールが前記第１のマップされたＴＰＣ信号を受信することに応答して、前記信号成分の各々の振幅および位相特性が調整されるステップと、
（ｅ）前記ＰＡが前記第２のマップされたＴＰＣ信号を受信することに応答して、前記ＰＡが非線形の態様で動作しないように、前記ＰＡのゲインが調整されるステップとを備えることを特徴とする方法。
【請求項４８】
実および仮想信号成分から生成された無線通信信号を送信するための無線通信システムであって、
（ａ）電力増幅器（ＰＡ）を含む無線送受信ユニット（ＷＴＲＵ）と、
（ｂ）無線通信信号を前記ＷＴＲＵから受信するように構成された基地局（ＢＳ）とを備え、
（ｉ）送信電力制御（ＴＰＣ）信号は前記ＢＳによって生成され、
（ｉｉ）前記ＢＳによって生成された前記ＴＰＣ信号の受信に応答して、第１のマップされたＴＰＣ信号および第２のマップされたＴＰＣ信号は前記ＷＴＲＵによって生成され、前記無線通信信号の生成に使用された前記信号成分の各々の振幅および位相特性は、前記第１のマップされたＴＰＣ信号に応答して調整され、前記ＰＡのゲインは、前記第２のマップされたＴＰＣ信号に応答して、前記ＰＡが非線形の態様で動作しないように調整されることを特徴とするシステム。
【発明の詳細な説明】
【技術分野】
【０００１】
本発明は一般に無線通信システムにおける送信機設計に関する。より詳細には、本発明は、アナログ無線送信機において導入されたキャリア漏れを補償するために使用されるデジタル信号処理（ＤＳＰ）技術に関する。
【背景技術】
【０００２】
既存の無線システムアーキテクチャ構成は、システム設計者に、通信信号の送信に関して厳しい制約を課す。また、このような構成はしばしば、信頼性の低い通信リンク、高い運用コスト、および、他のシステムコンポーネントとの望ましくないほど低いレベルの統合をもたらす。
【０００３】
アナログのコンポーネントにより構成された従来の低コスト無線送信機の無線周波数（ＲＦ）セクションでは、ＲＦ信号が処理されるとき、著しいレベルの歪みが発生する。信号品質を高める、よりよい歪み特性を有する、より高いコストのコンポーネントは、最終製品のコストを削減するために、設計段階中に大目に見られる場合がある。
【０００４】
例えば、従来の無線通信システムに関連付けられた共通の問題は、増幅された通信信号をアナログ無線送信機から出力する電力増幅器（ＰＡ）の特性が、その動作範囲を通じて線形特性を有さない場合があり、および／または、通信信号の位相を変化させる場合があることである。
【０００５】
ＲＦアナログ信号を処理するコンポーネントのコストは、ＤＳＰを使用するコンポーネントよりも高いので、低雑音および最小消費電力の低コスト送信機を含み、ＤＳＰ技術を利用して、アナログ無線送信機のＰＡによって引き起こされた振幅および位相の低下の補償を提供する、デジタルベースバンド（ＤＢＢ）システムを提供することが望ましい。
【発明の開示】
【発明が解決しようとする課題】
【０００６】
本発明は、アナログ無線送信機によって生成された無線通信信号の振幅および位相特性を、基地局（ＢＳ）によって受信された送信電力制御（ＴＰＣ）信号、および、送信機に含まれたＰＡの既知の特性に基づいて、調整するための方法およびシステムである。デジタル事前歪み補償モジュールは実および仮想信号パスを有し、無線通信信号を生成するために使用された実および仮想信号成分を受信および処理する。無線通信信号の位相および振幅特性は、ＴＰＣ信号に応答して、ＰＡの低下した振幅および位相特性が補正されるように、制御される。
【課題を解決するための手段】
【０００７】
本発明を、ＤＢＢ送信機、無線送受信ユニット（ＷＴＲＵ）、集積回路（ＩＣ）、無線通信システムおよび方法、または、他のいかなる望ましい通信メカニズムにも組み込むことができる。好ましい実施形態では、ＤＢＢ送信機は少なくとも１つの無線通信信号をＢＳに送信し、ＢＳは、無線通信信号の受信に応答して、ＴＰＣ信号を生成するように構成される。ＢＳはその中に、無線通信信号の少なくとも１つの期待特性に関連付けられた１つまたは複数の確立された基準を格納している。
【０００８】
本発明は、デジタル事前歪み補償モジュール、アナログ無線送信機、およびコントローラを含む。デジタル事前歪み補償モジュールは実および仮想信号パスを有し、実および仮想信号パスは、無線通信信号を生成するために使用された実および仮想信号成分を受信および処理するように構成される。
【０００９】
アナログ無線送信機はＰＡを含む。アナログ無線送信機は、処理された実および仮想信号成分を受信し、応答して、ＰＡに入力される通信信号を生成するように構成される。ＰＡは、生成された通信信号を増幅するように構成され、増幅された通信信号が本発明から無線通信信号として出されるようにする。
【００１０】
コントローラは、デジタル事前歪み補償モジュールおよびＰＡと通信する。コントローラは、無線通信信号の特性を、ＢＳによって生成されたＴＰＣ信号に基づいて制御するように構成される。
【００１１】
本発明はさらに、実および仮想信号パスを有するモデムを含むことができる。モデムは、実および仮想信号成分を生成し、ＴＰＣ信号を受信し、ＴＰＣ信号をコントローラに渡すように構成されることが可能である。
【００１２】
本発明はさらに、モデムの実信号パスをデジタル事前歪み補償モジュールの実信号パスに結合する第１のローパスフィルタ（ＬＰＦ）、および、モデムの仮想信号パスをデジタル事前歪み補償モジュールの仮想信号パスに結合する第２のＬＰＦを含むことができる。
【００１３】
コントローラはＴＰＣマッピングユニットを含むことができ、ＴＰＣマッピングユニットはＴＰＣ信号をモデムから受信し、第１のマップされたＴＰＣ信号をデジタル事前歪み補償モジュールに、および、第２のマップされたＴＰＣ信号をＰＡに出力する。
【００１４】
デジタル事前歪み補償モジュールは、電力推定ユニット、第１の乗算器、少なくとも１つのルックアップテーブル（ＬＵＴ）、および位相歪み補償ユニットを含むことができる。電力推定ユニットを、実および仮想信号パスの各々に結合することができる。電力推定ユニットを、電力推定信号を実および仮想信号成分の大きさに基づいて生成するように構成することができる。第１の乗算器を、電力推定信号を第１のマップされたＴＰＣ信号により乗算して、第１の結果の積信号を生成するように構成することができる。選択されたＬＵＴを、第１の結果の積信号の受信に応答して、振幅補償値を生成するように構成することができる。位相歪み補償ユニットを、第１の積信号の受信に応答して、位相補償信号を生成するように構成することができる。
【００１５】
振幅補償信号をデジタル事前歪み補償モジュールによって、ＰＡに関連付けられた少なくとも１つの低下した振幅特性を補正するために使用することができる。位相補償信号をデジタル事前歪み補償モジュールによって、ＰＡに関連付けられた少なくとも１つの低下した位相特性を補正するために使用することができる。第２のマップされたＴＰＣ信号を、ＰＡが非線形の態様で動作しないように、ＰＡのゲインを調整するために使用することができる。
【００１６】
本発明のより詳細な理解を、例として与えられ、添付の図面と共に理解されるべき、以下の好ましい実施例の説明から有することができる。
【発明を実施するための最良の形態】
【００１７】
図１は、本発明の好ましい実施形態により構成されたＤＢＢ  ＲＦ送信機１００のブロック図である。本発明は、送信機１００上で実施されることに関して言及されるが、本発明はトランシーバに等しく関連することも、当業者には理解されたい。
【００１８】
好ましくは、本明細書で開示された方法およびシステムは、無線送受信ユニット（ＷＴＲＵ）に組み込まれる。以下、ＷＴＲＵには、ユーザ機器、移動局、固定または移動加入者ユニット、ページャ、または、無線環境内で動作することができる他のいかなるタイプのデバイスもが含まれるが、これらに限定されない。本発明の特徴を集積回路（ＩＣ）に組み込むことができ、または、多数の相互接続するコンポーネントを備える回路内で構成することができる。
【００１９】
本発明は、時分割複信（ＴＤＤ）、時分割多元接続（ＴＤＭＡ）、周波数分割複信（ＦＤＤ）、符号分割多元接続（ＣＤＭＡ）、ＣＤＭＡ２０００、時分割同期ＣＤＭＡ（ＴＤＳＣＤＭＡ）、および、直交周波数分割多重（ＯＦＤＭ）を使用した通信システムに適用可能である。しかし、本発明は、他のタイプの通信システムにも適用可能であるように想定される。
【００２０】
図１に示すように、ＤＢＢ  ＲＦ送信機１００は、同相（Ｉ）信号成分１０４および直交（Ｑ）信号成分１０６を出力するモデム１０２、第１および第２のローパスフィルタ（ＬＰＦ）１０８、１１０、デジタル事前歪み補償モジュール１１５、少なくとも１つのデジタル−アナログコンバータ（ＤＡＣ）１２０、アナログ無線送信機１２５、少なくとも１つのアナログ−デジタルコンバータ（ＡＤＣ）１３０、コントローラ１３５および読み書きメモリ１４０を含む。
【００２１】
アナログ無線送信機１２５は、変調器１４５、ＰＡ１５０、結合ユニット（例えば、方向性結合器またはサンプル伝送回線）１５５、アンテナ１６０Ａ、検出器１６５、および温度センサ１６８を含む。コントローラ１３５は送信電力制御（ＴＰＣ）マッピングユニット１３８を含む。アナログ無線送信機１２５の変調器１４５は、ＬＯ１７０、第１および第２の変調器１７５、１８０、および加算器１８２を含む。
【００２２】
図１のＤＢＢ  ＲＦ送信機１００において、モデム１０２はＩおよびＱ信号成分１０４、１０６をアナログ無線送信機に、ＬＰＦ１０８、１１０、デジタル事前歪み補償モジュール１１５、およびＤＡＣ１２０を介して出力する。ＩおよびＱ信号成分１０４、１０６に基づいて、ＤＡＣ１２０はアナログ実信号１８４を第１の変調器１７５に出力し、アナログ仮想信号１８６を第２の変調器１８０に出力する。変調器１４５のＬＯ１７０は、ＬＯ入力信号１８８を第１および第２の変調器１７５、１８０の各々に提供する。第１および第２の変調器１７５、１８０の出力は加算器１８２によって共に合計されて、ＰＡ１５０に入力されるアナログ複合変調信号１９０が生成される。アナログ複合変調信号１９０を受信することに応答して、ＰＡ１５０は、増幅された通信信号１９２を出力し、この信号１９２はアナログ無線送信機１２５のアンテナ１６０Ａから無線通信信号１６２として出される。増幅された通信信号１９２は検出器１６５によって、結合ユニット１５５を介してモニタリングされる。検出器１６５はフィードバック信号１９４を生成し、フィードバック信号１９４は、増幅された通信信号１９２の関数である大きさを有する、検出された読み取りを提供する。
【００２３】
ＡＤＣ１３０はフィードバック信号１９４を受信し、デジタル信号１９５をコントローラ１３５に出力する。コントローラ１３５はＤＡＣ１２０およびＡＤＣ１３０のオペレーションを、メモリ１４０内に格納された様々な値に基づいて制御する。
【００２４】
モデム１０２によって出力されたＩおよびＱ信号成分の電力レベルは一定である。ＢＳ１６１が、ＤＢＢ  ＲＦ送信機１００のアンテナ１６０Ａから送信された無線通信信号１６２を受信するとき、ＢＳ１６１は無線通信信号１６２の電力を、所定の基準に従ってＢＳ１６１内で確立されたしきい値または範囲と比較する。無線通信信号１６２の電力が所定の基準を満たさない場合、ＢＳ１６１は無線ＴＰＣ信号１６３を、無線ＴＰＣ信号１６３を受信するアンテナ１６０Ｂを有する受信器１６４に送信し、変換されたバージョン（例えば、アナログまたはデジタル）の無線ＴＰＣ信号１６３を、ＤＢＢ  ＲＦ送信機１００のモデム１０２に転送する。受信器１６４およびＤＢＢ  ＲＦ送信機１００は共に（すなわち、トランシーバとして）単一のＷＴＲＵ内で動作することができ、それによりアンテナ１６０Ａおよび１６０Ｂを結合して単一のアンテナを形成することができる。モデム１０２によって受信されたＴＰＣ信号は、無線通信信号１６２の特性（例えば、電力レベル）が基準を満たすためにどのように調整されるべきであるかを指示する。
【００２５】
モデム１０２はＴＰＣ信号１９８を、コントローラ１３５のＴＰＣマッピングユニット１３８に提供する。ＴＰＣ信号１９８は、ＰＡ１５０の非線形動作特性の存在により受けた低下を補償するために使用される。ＴＰＣ信号１９８（例えば、デシベル（ｄＢ）で測定された信号）を受信することに応答して、ＴＰＣマッピングユニット１３８は第１のＴＰＣマップされた信号１９９をデジタル事前歪み補償モジュール１１５に印加し、および／または、ＤＡＣ１２０を介して第２のＴＰＣマップされた信号１９６をＰＡ１５０に印加して、増幅された通信信号１９２の振幅を、ＰＡ１５０のゲインを調整することによって、制御することができる。ＴＰＣマッピングユニット１３８は複数のＬＵＴを含むことができ、それにより、ＬＵＴのうち１つがＴＰＣ信号１９８の特性に基づいて選択されて、ＴＰＣマップされた信号１９６および１９９が生成される。例えば、ＴＰＣマップされた信号１９６を所望の電圧に対応するレベルで出力するのに先立って、ＴＰＣ信号１９８によって指示される、ｄＢで測定された電力レベルを、ＴＰＣマッピングユニット１３８の選択されたＬＵＴ内の情報に基づいて所望の電圧に変換することができる。
【００２６】
図２は、デジタル事前歪み補償モジュール１１５の例示的構成を示し、電力推定ユニット２０５、乗算器２１０、２１５、２２０、２２５、２３０、加算器２３５、２４０、２４５、２５０、複数のＬＵＴ２５５、および位相歪み補償ユニット２６０を含む。デジタル事前歪み補償モジュール１１５は、ＩおよびＱ信号成分の大きさおよび電力における関数を実行し、それにより、デジタル事前歪み補償ユニット１１５の入力および出力ポートは線形（すなわち、１対１）の対応を有する。
【００２７】
アナログ無線送信機１２５において、ＰＡ１５０は増幅された通信信号１９２をアンテナ１６０Ａに出力する。ＰＡ１５０は、デジタル事前歪み補償モジュール１１５によって補償される欠陥を有する、２つのＲＦ特性を有する。
【００２８】
ＰＡ１５０のＲＦ特性の第１のものは振幅歪みに関連付けられ、それにより、入力から出力までのＰＡ１５０の線形性が不完全になる場合がある。ＰＡ１５０が完全に線形である場合、ＰＡ１５０から出力された、増幅された通信信号１９２の振幅特性は、ＰＡ１５０の入力に印加されたアナログ複合変調信号１９０の振幅特性に直接対応するようになる。アナログ複合変調信号１９０の振幅が継続的に増大される場合、ＰＡ１５０の出力での増幅された通信信号１９２は最終的に圧縮し始めるようになり（すなわち、ＰＡ１５０は飽和点に到達する）、よってＰＡ１５０はもはや線形の態様で動作しないようになり、これがアナログ無線送信機１２５の、そのダイナミックレンジなど、１つまたは複数の振幅特性を歪ませる場合がある。
【００２９】
ＲＦ特性の第２のものは位相歪みに関連付けられ、それにより、ＰＡ１５０の入力でのアナログ複合変調信号１９０の位相オフセットは、ＰＡ１５０によって増幅および出力されるとき、変化する。これは、増幅された通信信号１９２が望ましくないコンステレーション回転（ｃｏｎｓｔｅｌｌａｔｉｏｎ  ｒｏｔａｔｉｏｎ）を有する原因となり、それによりコンステレーション上の各点は同じ方向に回転させられる。
【００３０】
完全に線形のＰＡ１５０では、ＰＡ１５０からの出力の振幅特性は、アナログ複合変調信号１９０の振幅特性に直接対応するようになる。現実的なシナリオでは、アナログ複合変調信号１９０の振幅が継続的に増大される場合、最終的に、増幅された通信信号１９２は圧縮し始めるようになり（すなわち、ＰＡ１５０は飽和に到達する）、よってＰＡ１５０はもはや線形の態様で実行しない。
【００３１】
図２を参照すると、ＩおよびＱ信号成分は電力推定ユニット２０５で受信され、電力推定ユニット２０５は電力推定関数（例えば、Ｉ２＋Ｑ２）を実行する。電力推定ユニット２０５（Ｉ２＋Ｑ２）は電力推定信号２０８を出力し、電力推定信号２０８は乗算器２１０を介して、ＴＰＣマップされた信号１９９により乗算され、結果の積信号２６５が、温度センサ１６８によって実行された温度読み取りに基づいて、ＬＵＴ２５５のうち選択された１つに入力される。選択されたＬＵＴ２５５はその中に、その温度読み取りが入る特定の温度範囲に関連付けられたＰＡ１５０の振幅特性を格納している。選択されたＬＵＴ２５５は次いで、値Ｋ１を有する振幅補償信号２７０を、結果の積信号２６５、および、選択されたＬＵＴ２５５によって定義されるようなＰＡ１５０の既知の振幅特性に基づいて、出力する。よって、振幅補償は、アナログ無線送信機１２５内の欠陥（すなわち、ＰＡ１５０による）を除くために提供される。
【００３２】
ＴＰＣマップされた信号１９９は、アナログ無線送信機１２５の出力電力を、結果の積信号２６５によって指定されるように制御する。振幅補償信号２７０は、それぞれ乗算器２１５および２２０を介してＩおよびＱ信号成分により乗算され、結果の積信号２７５、２８０はＩおよびＱ信号成分に、それぞれ加算器２３５および２４０を介して加算される。
【００３３】
加算器２３５、２４０の唯一の目的は、Ｋ１の値がゼロである場合、ＩおよびＱ信号成分の意図的でない非活性化を回避することであることに留意されたい。
【００３４】
なお図２を参照すると、結果の積信号２６５はまた位相歪み補償ユニット２６０にも入力され、位相歪み補償ユニット２６０は、値ＫＰを有する位相補償信号２８５を出力して位相回転を提供する。
【００３５】
位相補償信号２８５は、それぞれ乗算器２２５および２３０を介してＩおよびＱ信号成分により乗算される。乗算器２３０によって出力された結果の積信号２９０は加算器２４５を介して、実信号成分から減算される。乗算器２２５によって出力された結果の積信号２９５は加算器２５０を介して、仮想信号成分に加算される。
【００３６】
位相補償信号２８５に基づいて、デジタル事前歪み補償モジュール１１５はコンステレーションを回転させ、信号成分の実および仮想特性が、コンステレーションのすべての４つの象限で同じであるようにし、よって、コンステレーション内で完全な正方形を形成する。
【００３７】
デジタル事前歪み補償モジュール１１５は、実（Ｒｅ）Ｉ信号成分および仮想（ｊＩｍ）Ｑ信号成分を受信し、以下の式１によって表されるように、信号成分ＲｅおよびｊＩｍの位相をＫＰ度だけ回転させる。
【００３８】
【数１】
2006527534.tif 000003
【００３９】
実出力の結果、
【００４０】
【数２】
2006527534.tif 000004
【００４１】
を、以下の式２によって表す。
【００４２】
【数３】
2006527534.tif 000005
【００４３】
仮想出力の結果、
【００４４】
【数４】
2006527534.tif 000006
【００４５】
を、以下の式３によって表す。
【００４６】
【数５】
2006527534.tif 000007
【００４７】
図３Ａおよび３Ｂは、合わせて、ＤＢＢ  ＲＦ送信機１００によって出力された信号を調整するために使用される方法ステップを含む、例示的プロセス３００の流れ図である。プロセス３００は、図１に示すように、ＢＳ１６１を含む無線通信システム内で実施される。ＢＳ１６１は、無線通信信号１６２をＤＢＢ  ＲＦ送信機１００のアナログ無線送信機１２５から受信することに応答して、送信電力制御（ＴＰＣ）信号１６３を生成するように構成される。ＢＳ１６１は、無線通信信号１６２の少なくとも１つの期待特性に関連付けられた、１つまたは複数の確立された基準をその中に格納している。無線通信信号１６２の電力などの期待特性がＢＳ１６１の基準を満たさないとき、ＢＳ１６１はＴＰＣ信号１６３を生成し、ＤＢＢ  ＲＦ送信機が無線通信信号１６２の振幅および／または位相特性を調整するようにする。
【００４８】
図１から３Ｂを参照すると、プロセス３００は、無線通信信号１６２の振幅および位相特性を調整するために実施される。ステップ３０５で、無線通信信号１６２を生成するために使用される実および仮想信号成分が、事前歪み補償モジュール１１５の電力推定ユニット２０５によって受信される。ステップ３１０で、電力推定ユニット２０５は電力推定信号２０８を、実および仮想信号成分の大きさに基づいて生成する（例えば、関数Ｉ２＋Ｑ２が実行される）。ステップ３１５で、電力推定信号２０８が乗算器２１０を介して、第１のマップされたＴＰＣ信号１９９により乗算されて、第１の結果の積信号２６５が生成される。第１のマップされたＴＰＣ信号１９９は、ＢＳ１６１によって生成されたＴＰＣ信号１６３から導出される。
【００４９】
ステップ３２０で、複数のＬＵＴ２５５のうち少なくとも１つが、アナログ無線送信機１２５内に位置する温度センサ１６８によって実行された温度読み取りに応答して、選択される。
【００５０】
ステップ３２５で、値Ｋ１を有する振幅補償信号２７０が、選択されたＬＵＴ２５５によって、第１の結果の積信号２６５を受信することに応答して生成される。ステップ３３０で、振幅補償信号２７０が乗算器２１５を介して実信号成分により乗算されて、第２の結果の積信号２７５が生成される。ステップ３３５で、第２の結果の積信号２７５が加算器２３５を介して実信号成分に加算されて、振幅補償された実信号成分２７２が生成される。ステップ３４０で、振幅補償信号２７０が乗算器２２０を介して仮想信号成分により乗算されて、第３の結果の積信号２８０が生成される。ステップ３４５で、第３の結果の積信号２８０が加算器２４０を介して仮想信号成分に加算されて、振幅補償された仮想信号成分２８２が生成される。
【００５１】
ステップ３５０で、値ＫＰを有する位相補償信号２８５が、位相歪み補償ユニット２６０によって、第１の結果の積信号２６５を受信することに応答して生成される。ステップ３５５で、位相補償信号２８５が乗算器２２５を介して、振幅補償された実信号成分２７２により乗算されて、第４の結果の積信号２９５が生成される。ステップ３６０で、第４の結果の積信号２９５が加算器２５０を介して、振幅補償された仮想信号成分２８２に加算される。ステップ３６５で、位相補償信号２８５が乗算器２３０を介して、振幅補償された仮想信号成分２８２により乗算されて、第５の結果の積信号２９０が生成される。ステップ３７０で、第５の結果の積信号２９０が加算器２４５を介して、振幅補償された実信号成分２７２から減算される。
【００５２】
ステップ３７５で、第２のマップされたＴＰＣ信号１９６が、アナログ無線送信機１２５内に位置するＰＡ１５０に印加されて、ＰＡ１５０が非線形の態様で動作しないように、ＰＡ１５０のゲインが調整される。第２のマップされたＴＰＣ信号１９６は、ＢＳ１６１によって生成されたＴＰＣ信号１６３から導出される。
【００５３】
プロセス３００は、プロセス３００が完了されるたびにステップ３０５に戻ることによって、継続的に実行する。プロセス３００は一実施例でしかなく、プロセス３００のステップ３０５〜３７５の順序を、望まれるように再構成することができることを理解されたい。例えば、ステップ３１０〜３７０を実施するのに先立って、ステップ３７５を実施することが好ましい場合がある。
【００５４】
さらに、プロセス３００をサンプルごとのベースで実施することができ、それによりステップ３０５〜３７５は、チップレートより大幅に高いサンプルレート（例えば、チップレートの１０倍）で循環されることを理解されたい。第１および第２のマップされたＴＰＣ信号１９６、１９９に割り当てられた値は、プロセス３００が実施されるたびに、必ずしも変わるとは限らない。例えば、ＴＤＤまたは他のスロットベースの通信システムでは、ＴＰＣ信号１９８の値を、ＢＳ１６１によって提供されるＴＰＣ信号１６３の値のアップデートのレートに応じて、フレームごとのベースでのみアップデートすることができる。よって、コントローラ１３５のＴＰＣマッピングユニット１３８内で実施されたマッピングプロセスは、ＴＰＣマッピング信号１９６、１９９の値をアップデートすることによって、類似の方法で、後に続くようになる。
【００５５】
ＰＡ１５０は、無線通信信号１６２に関連付けられた、増幅された通信信号１９２を出力する。振幅補償値Ｋ１は、歪められた入力振幅を補正して、ＰＡの振幅特性を出力するために使用される。位相補償値は、歪められた入力振幅を補正して、ＰＡの位相特性を出力するために使用される。
【００５６】
本発明を特に、好ましい実施形態に関連して示し、説明したが、上述の本発明の範囲から逸脱することなく、形態および詳細における様々な変更をその中で行うことができることは、当業者には理解されよう。
【図面の簡単な説明】
【００５７】
【図１】本発明の好ましい実施形態により構成された、デジタル事前歪み補償モジュールを有するＤＢＢ  ＲＦ送信機のブロック図である。
【図２】図１のＤＢＢ  ＲＦ送信機内のデジタル事前歪み補償モジュールの例示的構成を示す図である。
【図３Ａ】図１のＤＢＢ  ＲＦ送信機によって出力された信号を調整するために使用される方法ステップを含むプロセスの流れ図である。
【図３Ｂ】図１のＤＢＢ  ＲＦ送信機によって出力された信号を調整するために使用される方法ステップを含むプロセスの流れ図である。
【図１】
2006527534.tif 000008
【図２】
2006527534.tif 000009
【図３Ａ】
2006527534.tif 000010
【図３Ｂ】
2006527534.tif 000011
【手続補正書】
【提出日】平成18年2月9日(2006.2.9)
【手続補正１】
【補正対象書類名】特許請求の範囲
【補正対象項目名】全文
【補正方法】変更
【補正の内容】
【特許請求の範囲】
【請求項１】
少なくとも１つの無線通信信号を基地局（ＢＳ）に送信するためのデジタルベースバンド（ＤＢＢ）送信機であって、前記ＢＳは、前記無線通信信号の受信に応答して、送信電力制御（ＴＰＣ）信号を生成するように構成され、
（ａ）前記無線通信信号の生成に使用された各実および仮想信号成分を受信および処理するように構成される、実および仮想信号パスを有するデジタル事前歪み補償モジュールと、
（ｂ）電力増幅器（ＰＡ）を含むアナログ無線送信機であって、前記アナログ無線送信機は、前記処理された実および仮想信号成分を受信し、応答して、前記ＰＡに入力される通信信号を生成するように構成され、前記ＰＡは、前記生成された通信信号を増幅するように構成され、前記増幅された通信信号は前記ＤＢＢ送信機から前記無線通信信号として出される、アナログ無線送信機と、
（ｃ）前記デジタル事前歪み補償モジュールおよび前記ＰＡと通信するコントローラであって、前記無線通信信号の特性を、前記ＢＳによって生成された前記ＴＰＣ信号に基づいて制御するように構成されるコントローラと、
（ｄ）実および仮想信号パスを有し、前記実および仮想信号成分を生成し、前記ＴＰＣ信号を受信し、前記ＴＰＣ信号を前記コントローラに渡すように構成されるモデムと、
（ｅ）前記モデムの前記実信号パスを前記デジタル事前歪み補償モジュールの前記実信号パスに結合する第１のローパスフィルタ（ＬＰＦ）と、
（ｆ）前記モデムの前記仮想信号パスを前記デジタル事前歪み補償モジュールの前記仮想信号パスに結合する第２のＬＰＦとを備えることを特徴とするＤＢＢ送信機。
【請求項２】
前記コントローラは、前記ＴＰＣ信号を前記モデムから受信するＴＰＣマッピングユニットを含み、前記ＴＰＣマッピングユニットは、第１のマップされたＴＰＣ信号を前記デジタル事前歪み補償モジュールに、および、第２のマップされたＴＰＣ信号を前記ＰＡに出力するように構成されることを特徴とする請求項１に記載のＤＢＢ送信機。
【請求項３】
前記デジタル事前歪み補償モジュールは、
（ｉ）前記実および仮想信号パスの各々に結合された電力推定ユニットであって、電力推定信号を前記実および仮想信号成分の大きさに基づいて生成するように構成される電力推定ユニットと、
（ｉｉ）前記電力推定信号を前記第１のマップされたＴＰＣ信号により乗算して、第１の結果の積信号を生成するように構成される第１の乗算器と、
（ｉｉｉ）前記第１の結果の積信号の受信に応答して、振幅補償信号を生成するように構成される、少なくとも１つのルックアップテーブル（ＬＵＴ）と、
（ｉｖ）前記第１の結果の積信号の受信に応答して、位相補償信号を生成するように構成される位相歪み補償ユニットとを備えることを特徴とする請求項２に記載のＤＢＢ送信機。
【請求項４】
前記デジタル事前歪み補償モジュールは、
（ｖ）前記振幅補償信号を前記実信号成分により乗算して、第２の結果の積信号を生成するように構成される第２の乗算器と、
（ｖｉ）前記第２の結果の積信号を前記実信号成分に加算して、振幅補償された実信号成分を生成するように構成される第１の加算器と、
（ｖｉｉ）前記振幅補償信号を前記仮想信号成分により乗算して、第３の結果の積信号を生成するように構成される第３の乗算器と、
（ｖｉｉｉ）前記第３の結果の積信号を前記仮想信号成分に加算して、振幅補償された仮想信号成分を生成するように構成される第２の加算器とをさらに備えることを特徴とする請求項３に記載のＤＢＢ送信機。
【請求項５】
前記デジタル事前歪み補償モジュールは、
（ｉｘ）前記位相補償信号を前記振幅補償された実信号成分により乗算して、第４の結果の積信号を生成するように構成される第４の乗算器と、
（ｘ）前記第４の結果の積信号を前記振幅補償された仮想信号成分に加算するように構成される第３の加算器と、
（ｘｉ）前記位相補償信号を前記振幅補償された仮想信号成分により乗算して、第５の結果の積信号を生成するように構成される第５の乗算器と、
（ｘｉｉ）前記第５の結果の積信号を前記振幅補償された実信号成分から減算するように構成される第４の加算器とをさらに備えることを特徴とする請求項４に記載のＤＢＢ送信機。
【請求項６】
前記振幅補償信号は前記デジタル事前歪み補償モジュールによって使用され、前記ＰＡに関連付けられた少なくとも１つの低下した振幅特性を補正することを特徴とする請求項３に記載のＤＢＢ送信機。
【請求項７】
前記位相補償信号は前記デジタル事前歪み補償モジュールによって使用され、前記ＰＡに関連付けられた少なくとも１つの低下した位相特性を補正することを特徴とする請求項３に記載のＤＢＢ送信機。
【請求項８】
前記第２のマップされたＴＰＣ信号は、前記ＰＡが非線形の態様で動作しないように、前記ＰＡのゲインの調整に使用されることを特徴とする請求項２に記載のＤＢＢ送信機。
【請求項９】
少なくとも１つの無線通信信号を基地局（ＢＳ）に送信するための無線送受信ユニット（ＷＴＲＵ）であって、前記ＢＳは、前記無線通信信号の受信に応答して、送信電力制御（ＴＰＣ）信号を生成するように構成され、
（ａ）前記無線通信信号の生成に使用された各実および仮想信号成分を受信および処理するように構成される、実および仮想信号パスを有するデジタル事前歪み補償モジュールと、
（ｂ）電力増幅器（ＰＡ）を含むアナログ無線送信機であって、前記アナログ無線送信機は、前記処理された実および仮想信号成分を受信し、応答して、前記ＰＡに入力される通信信号を生成するように構成され、前記ＰＡは、前記生成された通信信号を増幅するように構成され、前記増幅された通信信号は前記ＷＴＲＵから前記無線通信信号として出される、アナログ無線送信機と、
（ｃ）前記デジタル事前歪み補償モジュールおよび前記ＰＡと通信するコントローラであって、前記無線通信信号の特性を、前記ＢＳによって生成された前記ＴＰＣ信号に基づいて制御するように構成されるコントローラと、
（ｄ）実および仮想信号パスを有し、前記実および仮想信号成分を生成し、前記ＴＰＣ信号を受信し、前記ＴＰＣ信号を前記コントローラに渡すように構成されるモデムと、
（ｅ）前記モデムの前記実信号パスを前記デジタル事前歪み補償モジュールの前記実信号パスに結合する第１のローパスフィルタ（ＬＰＦ）と、
（ｆ）前記モデムの前記仮想信号パスを前記デジタル事前歪み補償モジュールの前記仮想信号パスに結合する第２のＬＰＦとを備えることを特徴とするＷＴＲＵ。
【請求項１０】
前記コントローラは、前記ＴＰＣ信号を前記モデムから受信するＴＰＣマッピングユニットを含み、前記ＴＰＣマッピングユニットは、第１のマップされたＴＰＣ信号を前記デジタル事前歪み補償モジュールに、および、第２のマップされたＴＰＣ信号を前記ＰＡに出力するように構成されることを特徴とする請求項９に記載のＷＴＲＵ。
【請求項１１】
前記デジタル事前歪み補償モジュールは、
（ｉ）前記実および仮想信号パスの各々に結合された電力推定ユニットであって、電力推定信号を前記実および仮想信号成分の大きさに基づいて生成するように構成される電力推定ユニットと、
（ｉｉ）前記電力推定信号を前記第１のマップされたＴＰＣ信号により乗算して、第１の結果の積信号を生成するように構成される第１の乗算器と、
（ｉｉｉ）前記第１の結果の積信号の受信に応答して、振幅補償信号を生成するように構成される、少なくとも１つのルックアップテーブル（ＬＵＴ）と、
（ｉｖ）前記第１の結果の積信号の受信に応答して、位相補償信号を生成するように構成される位相歪み補償ユニットとを備えることを特徴とする請求項１０に記載のＷＴＲＵ。
【請求項１２】
前記デジタル事前歪み補償モジュールは、
（ｖ）前記振幅補償信号を前記実信号成分により乗算して、第２の結果の積信号を生成するように構成される第２の乗算器と、
（ｖｉ）前記第２の結果の積信号を前記実信号成分に加算して、振幅補償された実信号成分を生成するように構成される第１の加算器と、
（ｖｉｉ）前記振幅補償信号を前記仮想信号成分により乗算して、第３の結果の積信号を生成するように構成される第３の乗算器と、
（ｖｉｉｉ）前記第３の結果の積信号を前記仮想信号成分に加算して、振幅補償された仮想信号成分を生成するように構成される第２の加算器とをさらに備えることを特徴とする請求項１１に記載のＷＴＲＵ。
【請求項１３】
前記デジタル事前歪み補償モジュールは、
（ｉｘ）前記位相補償信号を前記振幅補償された実信号成分により乗算して、第４の結果の積信号を生成するように構成される第４の乗算器と、
（ｘ）前記第４の結果の積信号を前記振幅補償された仮想信号成分に加算するように構成される第３の加算器と、
（ｘｉ）前記位相補償信号を前記振幅補償された仮想信号成分により乗算して、第５の結果の積信号を生成するように構成される第５の乗算器と、
（ｘｉｉ）前記第５の結果の積信号を前記振幅補償された実信号成分から減算するように構成される第４の加算器とをさらに備えることを特徴とする請求項１２に記載のＷＴＲＵ。
【請求項１４】
前記振幅補償信号は、前記ＰＡに関連付けられた少なくとも１つの低下した振幅特性の補正に使用されることを特徴とする請求項１１に記載のＷＴＲＵ。
【請求項１５】
前記位相補償信号は、前記ＰＡに関連付けられた少なくとも１つの低下した位相特性の補正に使用されることを特徴とする請求項１１に記載のＷＴＲＵ。
【請求項１６】
前記第２のマップされたＴＰＣ信号は、前記ＰＡが非線形の態様で動作しないように、前記ＰＡのゲインの調整に使用されることを特徴とする請求項１０に記載のＷＴＲＵ。
【請求項１７】
少なくとも１つの無線通信信号を基地局（ＢＳ）に送信するための集積回路（ＩＣ）であって、前記ＢＳは、前記無線通信信号の受信に応答して、送信電力制御（ＴＰＣ）信号を生成するように構成され、
（ａ）前記無線通信信号の生成に使用された各実および仮想信号成分を受信および処理するように構成される、実および仮想信号パスを有するデジタル事前歪み補償モジュールと、
（ｂ）電力増幅器（ＰＡ）を含むアナログ無線送信機であって、前記アナログ無線送信機は、前記処理された実および仮想信号成分を受信し、応答して、前記ＰＡに入力される通信信号を生成するように構成され、前記ＰＡは、前記生成された通信信号を増幅するように構成され、前記増幅された通信信号は前記ＩＣから前記無線通信信号として出される、アナログ無線送信機と、
（ｃ）前記デジタル事前歪み補償モジュールおよび前記ＰＡと通信するコントローラであって、前記無線通信信号の特性を、前記ＢＳによって生成された前記ＴＰＣ信号に基づいて制御するように構成されるコントローラと、
（ｄ）実および仮想信号パスを有し、前記実および仮想信号成分を生成し、前記ＴＰＣ信号を受信し、前記ＴＰＣ信号を前記コントローラに渡すように構成されるモデムと、
（ｅ）前記モデムの前記実信号パスを前記デジタル事前歪み補償モジュールの前記実信号パスに結合する第１のローパスフィルタ（ＬＰＦ）と、
（ｆ）前記モデムの前記仮想信号パスを前記デジタル事前歪み補償モジュールの前記仮想信号パスに結合する第２のＬＰＦとを備えることを特徴とするＩＣ。
【請求項１８】
前記コントローラは、前記ＴＰＣ信号を前記モデムから受信するＴＰＣマッピングユニットを含み、前記ＴＰＣマッピングユニットは、第１のマップされたＴＰＣ信号を前記デジタル事前歪み補償モジュールに出力し、第２のマップされたＴＰＣ信号を前記ＰＡに出力するように構成されることを特徴とする請求項１７に記載のＩＣ。
【請求項１９】
前記デジタル事前歪み補償モジュールは、
（ｉ）前記実および仮想信号パスの各々に結合された電力推定ユニットであって、電力推定信号を前記実および仮想信号成分の大きさに基づいて生成するように構成される電力推定ユニットと、
（ｉｉ）前記電力推定信号を前記第１のマップされたＴＰＣ信号により乗算して、第１の結果の積信号を生成するように構成される第１の乗算器と、
（ｉｉｉ）前記第１の結果の積信号の受信に応答して、振幅補償信号を生成するように構成される、少なくとも１つのルックアップテーブル（ＬＵＴ）と、
（ｉｖ）前記第１の結果の積信号の受信に応答して、位相補償信号を生成するように構成される位相歪み補償ユニットとを備えることを特徴とする請求項１８に記載のＩＣ。
【請求項２０】
前記デジタル事前歪み補償モジュールは、
（ｖ）前記振幅補償信号を前記実信号成分により乗算して、第２の結果の積信号を生成するように構成される第２の乗算器と、
（ｖｉ）前記第２の結果の積信号を前記実信号成分に加算して、振幅補償された実信号成分を生成するように構成される第１の加算器と、
（ｖｉｉ）前記振幅補償信号を前記仮想信号成分により乗算して、第３の結果の積信号を生成するように構成される第３の乗算器と、
（ｖｉｉｉ）前記第３の結果の積信号を前記仮想信号成分に加算して、振幅補償された仮想信号成分を生成するように構成される第２の加算器とをさらに備えることを特徴とする請求項１９に記載のＩＣ。
【請求項２１】
前記デジタル事前歪み補償モジュールは、
（ｉｘ）前記位相補償信号を前記振幅補償された実信号成分により乗算して、第４の結果の積信号を生成するように構成される第４の乗算器と、
（ｘ）前記第４の結果の積信号を前記振幅補償された仮想信号成分に加算するように構成される第３の加算器と、
（ｘｉ）前記位相補償信号を前記振幅補償された仮想信号成分により乗算して、第５の結果の積信号を生成するように構成される第５の乗算器と、
（ｘｉｉ）前記第５の結果の積信号を前記振幅補償された実信号成分から減算するように構成される第４の加算器とをさらに備えることを特徴とする請求項２０に記載のＩＣ。
【請求項２２】
前記振幅補償信号は、前記ＰＡに関連付けられた少なくとも１つの低下した振幅特性の補正に使用されることを特徴とする請求項１９に記載のＩＣ。
【請求項２３】
前記位相補償信号は、前記ＰＡに関連付けられた少なくとも１つの低下した位相特性の補正に使用されることを特徴とする請求項１９に記載のＩＣ。
【請求項２４】
前記第２のマップされたＴＰＣ信号は、前記ＰＡが非線形の態様で動作しないように、前記ＰＡのゲインの調整に使用されることを特徴とする請求項１８に記載のＩＣ。
【請求項２５】
実および仮想信号成分から生成された少なくとも１つの無線通信信号を送信するための無線通信システムにおいて、
（ａ）前記実および仮想信号成分を受信および処理するように構成される、実および仮想信号パスと、
（ｂ）前記実および仮想信号パスの各々に結合された電力推定ユニットであって、電力推定信号を前記実および仮想信号成分の大きさに基づいて生成するように構成される電力推定ユニットと、
（ｃ）前記電力推定信号を送信電力制御（ＴＰＣ）信号により乗算して、第１の結果の積信号を生成するように構成される第１の乗算器であって、前記ＴＰＣ信号は前記無線通信信号の電力に関連付けられる、第１の乗算器と、
（ｄ）前記第１の結果の積信号の受信に応答して、振幅補償信号を生成するように構成される、少なくとも１つのルックアップテーブル（ＬＵＴ）と、
（ｅ）前記第１の結果の積信号の受信に応答して、位相補償信号を生成するように構成される位相歪み補償ユニットとを備えることを特徴とするデジタル事前歪み補償モジュール。
【請求項２６】
（ｆ）前記振幅補償信号を前記実信号成分により乗算して、第２の結果の積信号を生成するように構成される第２の乗算器と、
（ｇ）前記第２の結果の積信号を前記実信号成分に加算して、振幅補償された実信号成分を生成するように構成される第１の加算器と、
（ｈ）前記振幅補償信号を前記仮想信号成分により乗算して、第３の結果の積信号を生成するように構成される第３の乗算器と、
（ｉ）前記第３の結果の積信号を前記仮想信号成分に加算して、振幅補償された仮想信号成分を生成するように構成される第２の加算器とをさらに備えることを特徴とする請求項２５に記載のデジタル事前歪み補償モジュール。
【請求項２７】
（ｊ）前記位相補償信号を前記振幅補償された実信号成分により乗算して、第４の結果の積信号を生成するように構成される第４の乗算器と、
（ｋ）前記第４の結果の積信号を前記振幅補償された仮想信号成分に加算するように構成される第３の加算器と、
（ｌ）前記位相補償信号を前記振幅補償された仮想信号成分により乗算して、第５の結果の積信号を生成するように構成される第５の乗算器と、
（ｍ）前記第５の結果の積信号を前記振幅補償された実信号成分から減算するように構成される第４の加算器とをさらに備えることを特徴とする請求項２６に記載のデジタル事前歪み補償モジュール。
【請求項２８】
実および仮想信号成分から生成された少なくとも１つの無線通信信号を送信するための無線通信システムにおいて、
（ａ）前記実および仮想信号成分を受信および処理するように構成される、実および仮想信号パスと、
（ｂ）前記実および仮想信号パスの各々に結合された電力推定ユニットであって、電力推定信号を前記実および仮想信号成分の大きさに基づいて生成するように構成される電力推定ユニットと、
（ｃ）前記電力推定信号を送信電力制御（ＴＰＣ）信号により乗算して、第１の結果の積信号を生成するように構成される第１の乗算器であって、前記ＴＰＣ信号は前記無線通信信号の電力に関連付けられる、第１の乗算器と、
（ｄ）前記第１の結果の積信号の受信に応答して、振幅補償信号を生成するように構成される、少なくとも１つのルックアップテーブル（ＬＵＴ）と、
（ｅ）前記第１の結果の積信号の受信に応答して、位相補償信号を生成するように構成される位相歪み補償ユニットとを備えることを特徴とするデジタルベースバンド（ＤＢＢ）送信機。
【請求項２９】
（ｆ）前記振幅補償信号を前記実信号成分により乗算して、第２の結果の積信号を生成するように構成される第２の乗算器と、
（ｇ）前記第２の結果の積信号を前記実信号成分に加算して、振幅補償された実信号成分を生成するように構成される第１の加算器と、
（ｈ）前記振幅補償信号を前記仮想信号成分により乗算して、第３の結果の積信号を生成するように構成される第３の乗算器と、
（ｉ）前記第３の結果の積信号を前記仮想信号成分に加算して、振幅補償された仮想信号成分を生成するように構成される第２の加算器とをさらに備えることを特徴とする請求項２８に記載のＤＢＢ送信機。
【請求項３０】
（ｊ）前記位相補償信号を前記振幅補償された実信号成分により乗算して、第４の結果の積信号を生成するように構成される第４の乗算器と、
（ｋ）前記第４の結果の積信号を前記振幅補償された仮想信号成分に加算するように構成される第３の加算器と、
（ｌ）前記位相補償信号を前記振幅補償された仮想信号成分により乗算して、第５の結果の積信号を生成するように構成される第５の乗算器と、
（ｍ）前記第５の結果の積信号を前記振幅補償された実信号成分から減算するように構成される第４の加算器とをさらに備えることを特徴とする請求項３５に記載のＤＢＢ送信機。
【請求項３１】
実および仮想信号成分から生成された少なくとも１つの無線通信信号を送信するための無線通信システムにおいて、
（ａ）前記実および仮想信号成分を受信および処理するように構成される、実および仮想信号パスと、
（ｂ）前記実および仮想信号パスの各々に結合された電力推定ユニットであって、電力推定信号を前記実および仮想信号成分の大きさに基づいて生成するように構成される電力推定ユニットと、
（ｃ）前記電力推定信号を送信電力制御（ＴＰＣ）信号により乗算して、第１の結果の積信号を生成するように構成される第１の乗算器であって、前記ＴＰＣ信号は前記無線通信信号の電力に関連付けられる、第１の乗算器と、
（ｄ）前記第１の結果の積信号の受信に応答して、振幅補償信号を生成するように構成される、少なくとも１つのルックアップテーブル（ＬＵＴ）と、
（ｅ）前記第１の結果の積信号の受信に応答して、位相補償信号を生成するように構成される位相歪み補償ユニットとを備えることを特徴とする無線送受信ユニット（ＷＴＲＵ）。
【請求項３２】
（ｆ）前記振幅補償信号を前記実信号成分により乗算して、第２の結果の積信号を生成するように構成される第２の乗算器と、
（ｇ）前記第２の結果の積信号を前記実信号成分に加算して、振幅補償された実信号成分を生成するように構成される第１の加算器と、
（ｈ）前記振幅補償信号を前記仮想信号成分により乗算して、第３の結果の積信号を生成するように構成される第３の乗算器と、
（ｉ）前記第３の結果の積信号を前記仮想信号成分に加算して、振幅補償された仮想信号成分を生成するように構成される第２の加算器とをさらに備えることを特徴とする請求項３１に記載のＷＴＲＵ。
【請求項３３】
（ｊ）前記位相補償信号を前記振幅補償された実信号成分により乗算して、第４の結果の積信号を生成するように構成される第４の乗算器と、
（ｋ）前記第４の結果の積信号を前記振幅補償された仮想信号成分に加算するように構成される第３の加算器と、
（ｌ）前記位相補償信号を前記振幅補償された仮想信号成分により乗算して、第５の結果の積信号を生成するように構成される第５の乗算器と、
（ｍ）前記第５の結果の積信号を前記振幅補償された実信号成分から減算するように構成される第４の加算器とをさらに備えることを特徴とする請求項３２に記載のＷＴＲＵ。
【請求項３４】
実および仮想信号成分から生成された少なくとも１つの無線通信信号を送信するための無線通信システムにおいて、
（ａ）前記実および仮想信号成分を受信および処理するように構成される、実および仮想信号パスと、
（ｂ）前記実および仮想信号パスの各々に結合された電力推定ユニットであって、電力推定信号を前記実および仮想信号成分の大きさに基づいて生成するように構成される電力推定ユニットと、
（ｃ）前記電力推定信号を送信電力制御（ＴＰＣ）信号により乗算して、第１の結果の積信号を生成するように構成される第１の乗算器であって、前記ＴＰＣ信号は前記無線通信信号の電力に関連付けられる、第１の乗算器と、
（ｄ）前記第１の結果の積信号の受信に応答して、振幅補償信号を生成するように構成される、少なくとも１つのルックアップテーブル（ＬＵＴ）と、
（ｅ）前記第１の結果の積信号の受信に応答して、位相補償信号を生成するように構成される位相歪み補償ユニットとを備えることを特徴とする集積回路（ＩＣ）。
【請求項３５】
（ｆ）前記振幅補償信号を前記実信号成分により乗算して、第２の結果の積信号を生成するように構成される第２の乗算器と、
（ｇ）前記第２の結果の積信号を前記実信号成分に加算して、振幅補償された実信号成分を生成するように構成される第１の加算器と、
（ｈ）前記振幅補償信号を前記仮想信号成分により乗算して、第３の結果の積信号を生成するように構成される第３の乗算器と、
（ｉ）前記第３の結果の積信号を前記仮想信号成分に加算して、振幅補償された仮想信号成分を生成するように構成される第２の加算器とをさらに備えることを特徴とする請求項３４に記載のＩＣ。
【請求項３６】
（ｊ）前記位相補償信号を前記振幅補償された実信号成分により乗算して、第４の結果の積信号を生成するように構成される第４の乗算器と、
（ｋ）前記第４の結果の積信号を前記振幅補償された仮想信号成分に加算するように構成される第３の加算器と、
（ｌ）前記位相補償信号を前記振幅補償された仮想信号成分により乗算して、第５の結果の積信号を生成するように構成される第５の乗算器と、
（ｍ）前記第５の結果の積信号を前記振幅補償された実信号成分から減算するように構成される第４の加算器とをさらに備えることを特徴とする請求項４１に記載のＩＣ。
【請求項３７】
実および仮想信号成分から生成された少なくとも１つの無線通信信号を送信するための無線通信システムにおいて、前記無線通信信号の少なくとも１つの特性を調整する方法であって、
（ａ）電力推定信号を前記実および仮想信号成分の大きさに基づいて生成するステップと、
（ｂ）前記電力推定信号を送信電力制御（ＴＰＣ）信号により乗算して、第１の結果の積信号を生成するステップであって、前記ＴＰＣ信号は前記無線通信信号の電力に関連付けられるステップと、
（ｃ）前記第１の結果の積信号の受信に応答して、振幅補償信号を生成するステップと、
（ｄ）前記振幅補償信号を前記実信号成分により乗算して、第２の結果の積信号を生成するステップと、
（ｅ）前記第２の結果の積信号を前記実信号成分に加算して、振幅補償された実信号成分を生成するステップと、
（ｆ）前記振幅補償信号を前記仮想信号成分により乗算して、第３の結果の積信号を生成するステップと、
（ｇ）前記第３の結果の積信号を前記仮想信号成分に加算して、振幅補償された仮想信号成分を生成するステップとを備えることを特徴とする方法。
【請求項３８】
（ｈ）前記第１の結果の積信号の受信に応答して、位相補償信号を生成するステップと、
（ｉ）前記位相補償信号を前記振幅補償された実信号成分により乗算して、第４の結果の積信号を生成するステップと、
（ｊ）前記第４の結果の積信号を前記振幅補償された仮想信号成分に加算するステップと、
（ｋ）前記位相補償信号を前記振幅補償された仮想信号成分により乗算して、第５の結果の積信号を生成するステップと、
（ｌ）前記第５の結果の積信号を前記振幅補償された実信号成分から減算するステップとをさらに備えることを特徴とする請求項３７に記載の方法。
【請求項３９】
実および仮想信号成分から生成された無線通信信号の少なくとも１つの特性を送信および調整するための無線通信システムであって、
（ａ）電力推定信号を前記実および仮想信号成分の大きさに基づいて生成する手段と、
（ｂ）前記電力推定信号を送信電力制御（ＴＰＣ）信号により乗算して、第１の結果の積信号を生成する手段であって、前記ＴＰＣ信号は前記無線通信信号の電力に関連付けられる手段と、
（ｃ）前記第１の結果の積信号の受信に応答して、振幅補償信号を生成する手段と、
（ｄ）前記振幅補償信号を前記実信号成分により乗算して、第２の結果の積信号を生成する手段と、
（ｅ）前記第２の結果の積信号を前記実信号成分に加算して、振幅補償された実信号成分を生成する手段と、
（ｆ）前記振幅補償信号を前記仮想信号成分により乗算して、第３の結果の積信号を生成する手段と、
（ｇ）前記第３の結果の積信号を前記仮想信号成分に加算して、振幅補償された仮想信号成分を生成する手段とを備えることを特徴とするシステム。
【請求項４０】
（ｈ）前記第１の結果の積信号の受信に応答して、位相補償信号を生成する手段と、
（ｉ）前記位相補償信号を前記振幅補償された実信号成分により乗算して、第４の結果の積信号を生成する手段と、
（ｊ）前記第４の結果の積信号を前記振幅補償された仮想信号成分に加算する手段と、
（ｋ）前記位相補償信号を前記振幅補償された仮想信号成分により乗算して、第５の結果の積信号を生成する手段と、
（ｌ）前記第５の結果の積信号を前記振幅補償された実信号成分から減算する手段とをさらに備えることを特徴とする請求項３９に記載のシステム。
【国際調査報告】
2006527534.tif 000012
2006527534.tif 000013